(57)【特許請求の範囲】
【請求項１】
玄関に施工される玄関造作材において、
方形断面を有する木質基材と、
前記木質基材の天面に積層一体化され、前記天面全体を覆う天面化粧材と、
前記木質基材の前面に積層一体化され、前記木質基材の底面よりも下方に突出する高さ調整可能な突出部を有する前面化粧材と、
を備え、
耐アルカリ性を有する前記前面化粧材の突出部を切断して高さ調整し、前記玄関に形成された土間の床面に直接載置することを特徴とする玄関造作材。
【請求項２】
前記木質基材を、前記玄関に配置された位置決め材の上面に載置すると共に、前記玄関の構造を形成する玄関構造材に固着一体化したことを特徴とする請求項１に記載の玄関造作材。
【請求項３】
前記木質基材の底面に、防湿層を設けたことを特徴とする請求項１又は２に記載の玄関造作材。
【請求項４】
前記天面化粧材および前記前面化粧材の少なくともいずれか一方の露出する表面に、化粧シートを積層一体化したことを特徴とする請求項１ないし３のいずれか１項に記載の玄関造作材。
【請求項５】
請求項１ないし４のいずれか１項に記載の前記玄関造作材の木質基材を、前記玄関の構造を形成する玄関構造材に固着一体化すると共に、前記前面化粧材の突出部の下端を前記土間床面に載置することを特徴とする請求項１ないし４のいずれか１項に記載の玄関造作材の施工構造。
【請求項６】
前記前面化粧材の突出部の前面下方縁部と前記土間床面とで形成されたシール溝に、防水シール剤を充填したことを特徴とする請求項５に記載の玄関造作材の施工構造。
【発明の詳細な説明】
【技術分野】
【０００１】
本発明は、コンクリート土間やタイル仕上げされた玄関に適用できる玄関造作材及び玄関造作材の施工構造に関する。
【背景技術】
【０００２】
従来、玄関造作材は、玄関の土間に設けた土台に設置され、上がり框、巾木、式台を構成していた。
【０００３】
例えば、特許文献１では、境界段部の上縁部分に設置固定して使用される木質基材の裏面に、防水層が形成された床部材が開示されている。しかし、特許文献１に記載の床部材では、床部材の底面に防水層が形成されているので、高さ調整ができない。
【０００４】
このため、通常、立ち上がり部が形成された土間に直置きして使用されていた。しかし、立ち上がり部の前面が露出するため、見栄えが悪くなるという問題があった。そこで、例えば、特許文献２では、露出する前記立ち上がり部の表面にタイルを貼り付けた上がり框が開示されている。しかし、タイルを施工するために工期の短縮やコスト削減が困難であった。
【０００５】
また、施工現場での土間と床面との高さの差に合わせて玄関造作材を施工する場合には、多種類の玄関造作材を在庫しなければならないという問題点があった。
【特許文献１】実開昭６３−１８７６６４号公報
【特許文献２】特開平３−１８３８６５号公報
【発明の開示】
【発明が解決しようとする課題】
【０００６】
本発明は、前記従来の問題点に鑑みてなされたもので、現場施工において玄関造作材の高さ調整を可能とすることにより、玄関造作材の在庫を減らすと共に、工期の短縮やコストを削減できる玄関造作材及び玄関造作材の施工構造を提案することを課題とする。
【課題を解決するための手段】
【０００７】
前記課題を解決するための手段として、本発明に係る玄関造作材は、  玄関に施工される玄関造作材において、
玄関に施工される玄関造作材において、
方形断面を有する木質基材と、
前記木質基材の天面に積層一体化され、前記天面全体を覆う天面化粧材と、
前記木質基材の前面に積層一体化され、前記木質基材の底面よりも下方に突出する高さ調整可能な突出部を有する前面化粧材と、
を備え、
耐アルカリ性を有する前記前面化粧材の突出部を切断して高さ調整し、前記玄関に形成された土間の床面に直接載置することを特徴とするものである。
【発明の効果】
【０００８】
本発明によれば、前面化粧材に木質基材の底面よりも下方に突出する突出部を切断することにより、現場施工の際に玄関造作材の高さを調整できる。このため、施工性に優れていると共に、高さの異なる多種類の玄関造作材を準備する必要が無く、玄関造作材の在庫を減らせる。
【０００９】
また、玄関造作材の高さを調整できるため、土間に立ち上がり部を形成しなくても施工できる。従って、露出する立ち上がり部の表面にタイルを施工する必要が無く、工期の短縮や、コスト削減が可能である。
本発明によれば、前面化粧材が耐アルカリ性を有するので、セメント等から染み出すアルカリ成分に対して耐久性を有し、長期間使用できる。
【００１０】
本実施形態としては、前記木質基材を、前記玄関に配置された位置決め材の上面に載置すると共に、前記玄関の構造を形成する玄関構造材に固着一体化してもよい。
本実施形態によれば、木質基材の底面を位置決め材に載置すると共に、前面化粧材の突出部を土間床面に載置するので、ガタツキが生じず、支持強度を高めることができる。
【００１１】
他の実施形態としては、前記木質基材の底面に、防湿層を設けておいてもよい。
本実施形態によれば、木質基材が土間床面に載置されても、土間床面からの湿気の影響を受けず、耐久性が向上する。
【００１３】
本発明に係る別の実施形態としては、前記天面化粧材および前記前面化粧材の少なくともいずれか一方の露出する表面に、化粧シートを積層一体化することが好ましい。
本実施形態によれば、天面化粧材および前面化粧材の少なくともいずれか一方の露出する表面を化粧シートで被覆するので、玄関造作材の意匠性、耐久性を高めることができる。
【００１４】
本発明に係る玄関造作材の施工構造は、前記玄関造作材の木質基材を、前記玄関の構造を形成する玄関構造材に固着一体化すると共に、前記前面化粧材の突出部の下端を前記土間床面に載置する構造としてある。
本発明によれば、前面化粧材突出部の下端部を土間床面に載置するので、従来の立ち上がり部が見えない。このため、タイルなどを施工する必要が無くなり、工期の短縮やコストの削減が可能になると共に、支持強度を高めることができる。なお、前面化粧材に耐水性を有するものを使用すれば、土間床面との接触や、長期間の使用における水ぬれによる変色、腐朽を防止できる。
【００１５】
本実施形態としては、前記前面化粧材の突出部の前面下方縁部と、前記玄関とで形成されたシール溝に、防水シール剤を充填することが好ましい。
本実施形態によれば、シール溝に防水シール剤を充填してシール処理することで、玄関造作材の下方縁部からの水の侵入による腐朽を防止できるという効果がある。
【発明を実施するための最良の形態】
【００１６】
次に添付図面を参照して、本発明の実施形態を詳細に説明する。
【００１７】
図１に本発明の第１実施形態に係る玄関造作材である上がり框３０として使用する場合を示す。前記上がり框３０は、長方形断面の木質基材１１と、木質基材１１の天面上に貼り付けられる天面化粧材１２と、木質基材１１の前面に貼り付けられる前面化粧材１３と、前記天面化粧材１２と前記前面化粧材１３との表面を連続的に被覆する１枚の化粧シート１５と、から構成されている。
【００１８】
木質基材１１は、一般的に使用される木質材料から形成でき、例えば、無垢材、集成材、合板、ＬＶＬ（単板積層材）等の合成された木質材料が挙げられる。ただし、強度及び耐久性が確保される限り、木質基材１１の材料は特に限定されず、パーティクルボード、ＭＤＦ（中比重繊維板）、ハードボード（高比重繊維板）等の木質材料及びこれらの積層体で形成してもよい。なお、木質基材１１の底面には、後述する防湿層１６が設けられている。
【００１９】
天面化粧材１２は、人が踏んで使用する化粧面であるため、強度と密着性とに優れた材料から形成される。例えば、比重が０．４から１．０程度の木質繊維板に化粧シート１５を貼着したものが挙げられる。
【００２０】
天面化粧材１２の厚さは、１ｍｍから６ｍｍ程度である。ただし、強度及び密着性を有する限り、形状は特に限定されず、板状体の表面に予め化粧シート１５を貼着したものであってもよい。また、天面化粧材１２の前端部には、面取部１２ａが形成されている。
【００２１】
本実施形態では天面化粧材１２が使用されるが、木質基材１１に無垢材、集成材、ＭＤＦ、ハードボード等が使用されている場合には、天面化粧材１２を用いず化粧シート１５を直接、木質基材１１に貼着してもよい。
【００２２】
前面化粧材１３は、耐水性を有する材料から形成され、主に樹脂板状体の表面に化粧シート１５を積層一体化したものが使用される。樹脂板状体としては、例えば、ポリエチレン樹脂、ポリプロピレン樹脂、ポリエチレンテレフタレート樹脂やポリスチレン樹脂等の樹脂を板状に成型したものが挙げられる。ただし、使用強度が確保される限り、これらを発泡させた樹脂発泡板状体を使用してもよい。また、寸法安定性を向上するために、前記樹脂に炭酸カルシウムや硫酸バリウム等の無機粉状体を適量混合したものを使用してもよい。また、密着性を向上させるために、木粉を適量混合したものを使用してもよい。更に、廃プラスチックをリサイクルして使用するために、カーボン等の着色剤を適宜混合したものを使用してもよい。前面化粧材１３は、耐水性を有する材料から形成されるため、長期の使用による水ぬれによる変色などを防止できる。そして、前面化粧材１３は、耐アルカリ性を有する材料から形成してもよい。
【００２３】
前面化粧材１３の形状は、木質素材１１の前面全体を覆う板状体である。そして、前面化粧材１３の下端には、木質基材１１の底面よりも下側に位置する突出部１４が形成されている。前記突出部１４の長さは、５ｍｍ〜２０ｍｍ程度が好ましい。ただし、突出部１４の強度が確保される限りその長さは特に限定されず、５ｍｍ〜１００ｍｍ程度であってもよい。突出部１４の厚さは２ｍｍから６ｍｍ程度である。また、突出部１４には、その前面下端縁部を切り欠いて切欠き部１４ａを設けてある。
【００２４】
なお、前面化粧材１３の材料及び形状は、前記突出部１４を切断できるように、カッターや回転鋸で切断可能な硬度と厚みとを有することが好ましい。
【００２５】
化粧シート１５は、例えば、木質単板、ＷＰＣ加工された木質単板、樹脂化粧シート、樹脂含浸化粧紙、オレフィン樹脂、又は紙間強化紙等の汎用的な化粧シートから形成される。通常、化粧シート１５の形状は、厚みが０．３ｍｍから３ｍｍ程度である。ただし、意匠性を高めることができる限り厚みは特に限定されず、０．０５ｍｍから１．０ｍｍ程度の厚みの化粧シート１５を、１ｍｍから６ｍｍ程度の板状体に積層一体化したものを使用してもよい。又、化粧シート１５の表面には透明な塗膜層、または減摩剤を混入した耐摩耗性を有する透明な塗膜層を形成してもよい。透明な塗膜層としては、例えば、電子線で硬化されたアクリル樹脂皮膜や紫外線で硬化されたアクリル樹脂皮膜が挙げられる。
【００２６】
木質基材１１の底面には、防湿層１６が配設される。防湿層１６の材料は、防湿機能が確保される限り、特に限定されず、シート状物によって形成してもよく、また、防水性塗膜を形成する防水塗料で形成してもよい。
【００２７】
前記シート状物としては、例えば、樹脂含浸紙、表面に防水皮膜としてアクリル皮膜やアスファルト皮膜を形成した防水シート、樹脂やアルミ等の防水皮膜を紙でサンドイッチしたポリサンド紙あるいはアルミサンド紙等の防水防湿シート、またはポリエチレン樹脂のポリプロピレン樹脂、塩ビ形樹脂をシート状に形成し、かつ、片面に接着性改善のためのシーラ塗装を施した樹脂シート等が挙げられ、接着剤で貼着される。
【００２８】
前記防水塗料としては、例えば、アスファルト、アクリル系樹脂、又はウレタン系樹脂が挙げられる。
【００２９】
本実施形態に係る玄関造作材を、玄関の上がり框３０として使用した玄関構造を図１Ｂに示す。前記玄関構造において上がり框３０を施工する場合には、まず、床スラブ２０上に位置決め材２１を設置する。ついで、床スラブ２０上にコンクリートをうち、位置決め材２１の前面に当接するように土間床面２２を形成する。また、水平方向に玄関構造材２３及び根太２４を形成する。そして、前記位置決め材２１の上面に上がり框３０の裏面１１ｃまたは防湿層１６を載置し、前記土間床面２２に突出部１４を設置すると共に、前記玄関構造材２３に上がり框３０の背面１１ｄを当接させて位置決めし、釘３５を介して玄関構造材２３と上がり框３０とを固定する。そして、上がり框３０の天面化粧材１２の表面と表面略面一になるように、床仕上げ材２５を玄関構造材２３及び根太２４上に固定する。最後に、突出部１４の切欠き部１４ａにシール剤２９を充填する。このとき、上がり框３０は、位置決め材２１や玄関構造材２３に接着剤で接着しておいてもよい。この場合、固定強度が十分であるならば、位置決め材２１と上がり框３０とは、必ずしも当接している必要はない。
【００３０】
図２に本発明の第２実施形態に係る玄関造作材を巾木３１として使用する場合を示す。第１実施形態と同一の部分には同一の符号を付して説明を省略する。
【００３１】
木質基材１１の底面１１ｃ及び背面１１ｄは、アクリル系塗料で防水被覆されている。天面化粧材１２、面取り部１２ａ及び前面化粧材１３の化粧シート１５の表面には更に、アクリル系の紫外線硬化型樹脂塗料からなる透明な塗膜層（図示せず）が形成されている。
【００３２】
本実施形態に係る玄関造作材を、玄関の巾木３１として使用した玄関構造を図２Ｂに示す。前記玄関構造において巾木３１を施工する場合には、まず、床スラブ２０上に位置決め材２１を設置する。ついで、床スラブ２０上にコンクリートをうち、位置決め材２１の前面に当接するように土間床面２２を形成する。そして、前記位置決め材２１の上に壁下地２０ａに当接するように玄関構造材２６を載置する。更に、前記位置決め材２１の上面に巾木３１の裏面１１ｃまたは防湿層１６を載置し、前記土間床面２２に突出部１４を設置すると共に、前記玄関構造材２６に巾木３１の背面１１ｄを当接させた状態で位置決めし、釘３５を介して玄関構造材２６と巾木３１とを固定する。そして、前記壁下地２０ａに胴縁２７を取り付けた後、前記玄関構造材２６上に載置するように内壁２８を形成し、胴縁２７と内壁２８とを釘やステーブルを介して固定する。最後に、突出部１４の切欠き部１４ａにシール剤２９を充填する。このとき、巾木３１は、位置決め材２１や玄関構造材２６に接着剤で接着しておいてもよい。この場合、固定強度が十分であるならば、位置決め材２１と巾木３１とは、必ずしも当接している必要はない。
【００３３】
図３に本発明の第３実施形態に係る玄関造作材を式台３２として使用する場合を示す。第１実施形態と同一の部分には同一の符号を付して説明を省略する。
【００３４】
図３Ａに示すように、式台３２の底面１１ｃ及び背面１１ｄには、ポリサンド紙が貼着されている。天面化粧材１２、面取り部１２ａ、前面化粧材１３の化粧シート１５表面には、アクリル系紫外線硬化型塗料によって透明な塗膜層（図示せず）が形成されている。
【００３５】
本実施形態に係る玄関造作材を、玄関の式台３２として使用した玄関構造を図３Ｂに示す。前記玄関構造において式台３２を施工する場合には、まず、床スラブ２０上に２つの位置決め材２１ａ、２１ｂを設置する。ついで、床スラブ２０上にコンクリートをうち、位置決め材２１ａと当接するように土間床面２２を形成する。そして、水平方向に玄関構造材２３ａ、２３ｂ及び根太２４を形成する。更に、前記位置決め材２１ａ、２１ｂの上面に式台３２の裏面１１ｃまたは防湿層１６を載置し、前記土間床面２２に突出部１４を設置する。更に、前記玄関構造材２３ｂに式台３２の背面１１ｄを当接させた状態で位置決めし、釘３５を介して玄関構造材２３ｂと式台３２とを固定する。次に、上がり框４０の前面を式台３２の背面に当接し、上がり框４０の下面を玄関構造材２３ｂの上面に載置すると共に、上がり框４０の背面を玄関構造材２３ａの前面に当接させた状態で位置決めし、釘を介して玄関構造材２３ａと上がり框４０とを固定する。そして、上がり框４０の天面と表面略面一になるように、床仕上げ材２５を玄関構造材２３ａ及び根太２４上に固定する。最後に、突出部１４の切欠き部１４ａにシール剤２９を充填する。このとき、式台３２は、位置決め材２１ａ、２１ｂや玄関構造材２３ａ、２３ｂに接着剤で接着していてもよい。固定強度が十分である必要があるので、位置決め材２１と式台３２とは、当接していることが望ましい。
【実施例】
【００３６】
（実施例１）
図１Ｂに示した玄関の上がり框を施工した。使用する木質基材は、縦１０５ｍｍ、横７５ｍｍの長方形断面を有し、２ｍの長さに調整した直方体形状を有している。木質基材の底面に貼着された防湿層であるポリサンド紙は、厚さ０．０１５ｍｍである。ポリサンド紙は、具体的には厚さが７０μｍのポリエチレン樹脂シートの両面に箔葉紙を挟み込んだものである。天面化粧材としては、厚さ５ｍｍのＭＤＦを使用した。前面化粧材としては、厚さ５ｍｍの発泡ポリスチレンを使用し、突出部は木質基材の底面から下方に２０ｍｍ突出していた。化粧シートとしては、電子線で硬化されたアクリル樹脂被膜を表面に形成したオレフィン樹脂からなる化粧シートを使用した。
【００３７】
次に、前述の上がり框の施工方法を説明する。コンクリート打ちされた床スラブ上に高さ３０ｍｍの位置決め材を設置した。次に、位置決め材の前面と当接するように、床スラブ上にモルタルを施工し、土間床面を形成した。この時、前記位置決め材と土間床面との段差を１５ｍｍとした。更に、玄関構造材に根太を嵌め込み、釘を斜め打ち（図示せず）し、固定した。そして、位置決め材と土間床面の段差が１５ｍｍであるので、上がり框の前面化粧材の突出部を下端部から５ｍｍ切断し、１５ｍｍとした。ついで、位置決め材の上面に上がり框の裏面を載置し、土間床面に突出部を設置すると共に、玄関構造材に上がり框の背面を当接させた状態で位置決めし、玄関構造材から上がり框に向けて釘を斜め打ちして、玄関構造材と上がり框とを固定した。そして、上がり框の天面化粧材表面と表面略面一になるように、床仕上げ材を玄関構造材及び根太上に固定した。最後に、突出部の切欠き部に透明のシリコン性の防水シール剤を充填してシール処理した。
（実施例２）
【００３８】
図２Ｂに示した玄関の巾木を施工した。使用する木質基材は、縦１０５ｍｍ、横２５ｍｍの長方形断面を有する直方体形状を有している。天面化粧材としては、厚さ４．５ｍｍのＭＤＦの表面に化粧シートとして厚さ０．２５ｍｍのＷＰＣ単板を積層一体したものを用いた。前面化粧材としては、厚さ４．５ｍｍの無機充填樹脂板（ポリプロピレンと炭酸カルシウムを１：１で混合したもの）を使用し、突出部は木質基材の底面から下方に２０ｍｍ突出していた。前面化粧材の表面には化粧シートとして厚さ０．２５ｍｍのＷＰＣ単板を使用し、これらを積層一体した。
【００３９】
次に、前記巾木の施工方法を説明する。床スラブ上に、位置決め材と土間床面との段差を１５ｍｍとするように施工した。また、背面が壁下地に当接すると共に、底面が前記位置決め材に当接するように、玄関構造材を施工した。更に、位置決め材と土間床面との段差が１５ｍｍあるので、巾木の前面化粧材の突出部を下端部から５ｍｍ切断し、１５ｍｍとした。そして、位置決め材の上面に巾木の底面を載置し、土間床面に突出部の先端を設置すると共に、玄関構造材に巾木の背面を当接させた状態で位置決めし、玄関構造材から巾木に向けて釘を斜め打ちして玄関構造材と巾木とを固定した。ついで、壁下地に胴縁を取り付けると共に、玄関構造材上に載置するように内壁を設置し、胴縁と内壁とを釘やステーブルを介して固定した。最後に、突出部の切欠き部に透明のシリコン製の防水シール剤を充填してシール処理した。
（実施例３）
【００４０】
図３Ｂに示した玄関の式台を施工した。使用する木質基材は、縦５０ｍｍ、横４００ｍｍの長方形断面を有する。木質基材の底面及び背面に貼着される防湿層であるポリサンド紙の厚さは０．０１５ｍｍである。天面化粧材として、厚さ２．７ｍｍのＭＤＦの表面に、化粧シートとして厚さ０．１ｍｍのオレフィン樹脂化粧シートを積層一体したものを用いた。前面化粧材として、厚さ２．７ｍｍの無機充填発泡ポリスチレンを使用し、突出部は木質基材の底面から下方に２０ｍｍ突出していた。前面化粧材の表面には化粧シートとして天面化粧材と同じオレフィン樹脂化粧シートを使用し、これらを積層一体した。
【００４１】
次に、式台の施工方法を説明する。床スラブ上に２つの位置決め材を設置すると共に、前記位置決め材と土間床面との段差が１５ｍｍとなるように施工した。そして、玄関構造材に根太を嵌め込んで釘を斜め打ち（図示せず）し、固定した。位置決め材と土間床面の段差が１５ｍｍであるので、式台の前面化粧材の突出部を下端部から５ｍｍ切断し、１５ｍｍとした。そして、２つの位置決め材の上面に式台の裏面を載置し、土間床面に突出部を設置すると共に、玄関構造材に式台の背面を当接させた状態で位置決めし、玄関構造材から式台に向けて釘を斜め打ちして玄関構造材と式台とを固定した。次に、上がり框の前面を式台の背面に当接し、上がり框の下面を玄関構造材の上面に載置し、上がり框の背面をもう１つの玄関構造材の前面に当接させた状態で位置決めし、玄関構造材から上がり框に向けて釘を斜め打ちし、玄関構造材と上がり框とを固定した。そして、上がり框の天面化粧材表面と表面略面一になるように、床仕上げ材を玄関構造材及び根太上に固定した。
【図面の簡単な説明】
【００４２】
【図１】図Ａは本発明の第１実施形態に係る玄関造作材の断面図、図Ｂは第１実施形態に係る玄関造作材を用いた玄関の上がり框の断面図である。
【図２】図Ａは本発明の第２実施形態に係る玄関造作材の断面図、図Ｂは第２実施形態に係る玄関造作材を用いた玄関の巾木の断面図である。
【図３】図Ａは本発明の第３実施形態に係る玄関造作材の断面図、図Ｂは第３実施形態に係る玄関造作材を用いた玄関の式台の断面図である。
【符号の説明】
【００４３】
１１  木質基材
１２  天面化粧材
１３  前面化粧材
１４  突出部
１４ａ  切欠き部
１５  化粧シート
１６  防湿層
２０  床スラブ
２０ａ  壁下地
２１  位置決め材
２２  土間床面
２３  玄関構造材（上がり框、式台）
２４  根太
２５  床仕上げ材
２６  玄関構造材（巾木）
２７  胴縁
２８  内壁
２９  防水シール剤
３０  上がり框
３１  巾木
３２  式台
３５  釘
【図１】
0005486775.tif 000002
【図２】
0005486775.tif 000003
【図３】
0005486775.tif 000004